(57)【要約】【課題】特定パターンのマークの色に濃淡がある場合において、特定パターンを正確に検出することができる画像処理装置、画像形成装置、コンピュータプログラム、記録媒体、及び画像処理方法を提供する。【解決手段】画像処理部８１は、画像データにつき、相対的に濃度が薄いマークの前記濃度に基づいて２値化処理する第１処理部１と、相対的に濃度が濃いが周辺に濃度の薄い下地模様を有するマークの前記濃度に基づいて２値化処理する第２処理部２と、第１処理部１及び第２処理部２より入力した２値画像データから各マークを検出し、各マークの位置データを出力するマーク検出部３と、各位置データを加算する加算部４と、前記位置データに基づき複写禁止パターンの類似度を算出する判定部５とを備える。【選択図】図３
2011061455.tif 000002
【特許請求の範囲】
【請求項１】
特定色及び特定形状を有するマークを含む特定パターンに対応する特定データに基づいて、入力された入力画像データに特定データが含まれるか否かを判定する画像処理装置において、
前記特定色の複数の濃度に基づいて入力画像データをそれぞれ２値化処理し、得られた各２値化画像データを出力する２値化手段と、
前記２値化手段から各２値化画像データを入力され、各２値化画像データに基づいて、前記入力画像データが前記特定データを有するか否かを判定する特定パターン有無判定手段と
を備えることを特徴とする画像処理装置。
【請求項２】
前記２値化手段は、
前記特定色の濃度に基づいて入力画像データを２値化処理し、得られた２値化画像データを出力する第１の２値化手段と、
前記濃度とは異なる前記特定色の濃度に基づいて前記入力画像データを２値化処理し、得られた２値化画像データを出力する第２の２値化手段と
を備えることを特徴とする画像処理装置。
【請求項３】
前記特定パターン有無判定手段により前記特定データを有すると判定した場合に、前記特定パターンの有無に関する情報を出力する出力手段を備えることを特徴とする請求項１又は２に記載の画像処理装置。
【請求項４】
特定色及び特定形状を有する複数のマークを含む特定パターンの前記マークの形状についての形状情報及び各マークの画像上の位置情報を記憶する記憶手段を備え、
前記特定パターン有無判定手段は、
前記２値化手段から入力された各２値化画像データに基づき、前記形状情報を用いて前記入力画像データにマークが含まれるか否かを判定し、前記マークが含まれると判定した場合に、該マークの画像上の位置情報を出力するマーク検出部と、
該マーク検出部から前記位置情報を入力され、入力された全ての位置情報を加算する加算部と、
前記加算部が加算した位置情報と、前記各マークの画像上の位置情報とを比較して、前記入力画像データが前記特定データを有するか否かを判定する判定部と
を備えることを特徴とする請求項１から３までのいずれか一つに記載の画像処理装置。
【請求項５】
特定色及び特定形状を有する複数のマークを含む特定パターンの前記マークの形状についての形状情報及び各マークの画像上の位置情報を記憶する記憶手段を備え、
前記特定パターン有無判定手段は、
前記第１の２値化手段及び前記第２の２値化手段から入力された各２値化画像データに基づき、前記形状情報を用いて前記入力画像データにマークが含まれるか否かを判定し、前記マークが含まれると判定した場合に、該マークの画像上の位置情報を出力する第１のマーク検出部及び第２のマーク検出部と、
該第１のマーク検出部及び第２のマーク検出部から前記位置情報を入力され、入力された全ての位置情報を加算する加算部と、
前記加算部が加算した位置情報と、前記各マークの画像上の位置情報とを比較して、前記入力画像データが前記特定データを有するか否かを判定する判定部と
を備えることを特徴とする請求項２に記載の画像処理装置。
【請求項６】
前記マーク検出部によりマークが含まれると判定した場合に、該マークに対応する所定の画素領域をマスク領域に設定するにじみ補正部を備え、
前記マーク検出部は、前記マスク領域内でマークが含まれると判定した場合に、該マークの画像上の位置情報を出力しないように構成されていることを特徴とする請求項４又は５に記載の画像処理装置。
【請求項７】
前記２値化手段は、赤の濃度Ｒ、緑の濃度Ｇ、青の濃度Ｂ、前記濃度Ｇと前記濃度Ｒとの差分、前記濃度Ｇと前記濃度Ｂとの差分、及び前記濃度Ｒと前記濃度Ｂの差分が全て設定した数値範囲にある画素と、全ては前記数値範囲内にはない画素とに対応して、前記入力画像データを２値化処理することを特徴とする請求項１から６までのいずれか一つに記載の画像処理装置。
【請求項８】
請求項１から７までのいずれか一つに記載の画像処理装置と、
前記特定パターン有無判定手段の判定に基づいて印刷を行うか否かを判定する印刷実行判定手段と、
該印刷実行判定手段により印刷を行うと判定した場合に、前記入力画像データに基づいて印刷する手段と
を備えることを特徴とする画像形成装置。
【請求項９】
コンピュータに、特定色及び特定形状を有するマークを含む特定パターンに対応する特定データに基づいて、画像データに特定データが含まれるか否かを判定させるコンピュータプログラムにおいて、
コンピュータに、前記特定色の濃度に基づいて前記画像データを２値化処理させる第１の２値化ステップと、
コンピュータに、前記濃度とは異なる前記特定色の濃度に基づいて前記画像データを２値化処理させる第２の２値化ステップと、
コンピュータに、前記第１の２値化ステップ及び前記第２の２値化ステップにより得られた２値化画像データに基づいて、前記画像データが前記特定データを有するか否かを判定させるステップと
を有することを特徴とするコンピュータプログラム。
【請求項１０】
請求項９に記載のコンピュータプログラムを記録してあることを特徴とするコンピュータ読み取り可能な記録媒体。
【請求項１１】
特定色及び特定形状を有するマークを含む特定パターンに対応する特定データに基づいて、画像データに特定データが含まれるか否かを判定する画像処理方法において、
前記特定色の濃度に基づいて前記画像データを２値化処理する第１の２値化ステップと、
前記濃度とは異なる前記特定色の濃度に基づいて前記画像データを２値化処理する第２の２値化ステップと、
前記第１の２値化ステップ及び前記第２の２値化ステップにより得られた２値化画像データに基づいて、前記画像データが前記特定データを有するか否かを判定するステップと
を有することを特徴とする画像処理方法。
【発明の詳細な説明】
【技術分野】
【０００１】
本発明は、例えば紙幣、有価証券及び機密書類等の複写を禁止すべき原稿画像等の画像中に複写禁止パターン等の特定パターンが含まれているか否かを判定する画像処理装置、該画像処理装置を備える画像形成装置、前記画像処理装置をコンピュータ上で実現するためのコンピュータプログラム、該コンピュータプログラムを記録してある記録媒体、及び画像処理方法に関する。
【背景技術】
【０００２】
近年、カラー複写装置においては、複写性能の向上に伴い、原稿画像を高い忠実度で再現した複写画像の形成が可能になっている。これに伴い、カラー複写装置に対し、紙幣、有価証券及び機密書類等のコピー禁止原稿を複写する行為、特に大量に複写して偽造する行為を高度に防止することが求められている。
従来の複写装置における複写防止技術として、記録紙に印刷する原稿画像を画像読取装置により読み取って得られた画像データ（読取り画像データ）と、予め複写装置に登録されている複写防止対象となる特定画像の画像データ（特定データ）とを比較して、読取り画像データに対応する画像の印刷を行うか否かを判断するものが知られている。この複写装置において、読取り画像データについての印刷を行わないと判定した場合、単純に印刷を中止する、又は読取り画像データをその読取り画像データとは異なる画像データに変更して印刷するといった処理が行われる。
【０００３】
複写機及びスキャナの高画質化及び低価格化によって偽造が容易になり、そのため、偽造防止（複写禁止）パターンを有する原稿が増えている。また、複写禁止原稿ではない一般原稿の種類も多種多様化している。複写禁止原稿に対応した複写機においては、複写禁止原稿の検出ミスがないことを要求されるのはいうに及ばず、前記一般原稿を誤って複写禁止原稿として検出するという誤検出がないことも要求されている。また、複写禁止原稿においては、複写禁止パターンのマークをカモフラージュするために周辺部に下地模様を施したり、濃度を薄くしたりして目立ちにくくしている。このことがマークの検出を困難にしている。一の複写禁止原稿においては、マークの周辺部に該マークより薄い下地模様が入れてあり、他の複写禁止原稿においては、同一色を有するマークが色を薄くした状態で印刷されている。また、紙幣は流通の過程でしわになったり汚れたりすることがあるが、これによりマークの色の濃度が変わった場合においても複写禁止パターンを正確に検出する必要がある。
【０００４】
従来のこの種の具体的な技術として、特許文献１、特許文献２、及び特許文献３に開示された技術がある。
特許文献１に記載の情報処理装置においては、画像データを入力し、入力される画像データをサンプリングし、サンプリング画像のヒストグラムを抽出し、抽出したヒストグラム中の特別に度数の多い色レベルを下地レベルとして認識して下地レベルの影響がないような２値化閾値を算出する。そして、この算出値を２値化閾値として設定する。すなわち、解像度を高める補間のためのパターンマッチングの前の２値化処理において、２値化閾値を画像の下地レベルに応じて変えることで、前記パターンマッチングを良好に行い、良好な画像処理結果を得ることを目的としている。
【０００５】
そして、特許文献２に記載の画像処理装置においては、入力された画像データにつき、複数のマークに基づく複数の色に対応して２値化し、２値化された各色に基づく画像データから、各色で大きさが異なるマークを検出し、マークが所定個数以上検出された画像データを選択し、該画像データのマークを、各色共通の所定の大きさにした後、１つにまとめ、まとめられたマークの配置に基づき特定パターンの有無を判定するように構成された画像処理装置の発明が開示されている。
【０００６】
また、特許文献３に記載の画像処理装置は、第１及び第２の色抽出ブロック、ＯＲ回路、記憶装置、マーク検出部、原稿切り出し部並びにマッチング部を備えている。この画像処理装置においては、入力画像データに対して第１及び第２の色抽出ブロックにより夫々黒と赤による個別の２値化処理を行い、これら二つのデータをＯＲ回路にて一つのデータにまとめて記憶装置に記憶する。次に、マーク検出部により、テンプレートを使用して入力画像データに含まれる正方形マークを検出し、画像切り出し部にて正方形マークで囲まれるマークを切り出し、切り出したマークの複写禁止判定パターン（特定パターン）に対する適合度をマッチング部にて求め、その結果を出力する。
【先行技術文献】
【特許文献】
【０００７】
【特許文献１】特開２０００−１１５５３２号公報
【特許文献２】特開２００７−１３５０９１号公報
【特許文献３】特開平９−１６０４３号公報
【発明の概要】
【発明が解決しようとする課題】
【０００８】
複写の禁止が要求される紙幣、有価証券及び機密書類等のコピー禁止原稿に付加される複写禁止パターンは、それ自体が改ざんされるのを防止するため、上述したように下地模様でカモフラージュを行う等して非常に目立ち難いものとなっている。特に紙幣については、各国によって紙質及び複写禁止パターンの印刷の濃度にばらつきがある。すなわち、紙質の相違により複写禁止パターンを検出するための信号にノイズが生じ易く、また、複写禁止パターンのマークの色の濃度の高低により誤差が生じ易く、一定の精度を有して複写禁止パターンを検出することが困難になっている。このため、複写禁止パターンを高精度に、安定して検出することが求められている。
【０００９】
このような状況において、特許文献１に記載の情報処理装置においては、前記パターンマッチングを良好に行うことができ、また、紙質の違いによる下地色の差異に対応できるという優れた効果がある。しかし、下地模様と複写禁止パターンとの区別が付かないため、下地模様を除いて複写禁止パターンのみを検出することはできないという問題があった。
【００１０】
そして、特許文献２に記載の画像処理装置においては、二つの色フィルタを有することにより、異なる色を有する二つのマークを検出することができる。一の色フィルタで薄色のマークを抽出し、他の色フィルタで濃色のマークを検出するようにすることで、薄い下地模様を有し、マーク部分は濃くしてあるマークも検出することが可能である。
しかしながら、二つの色フィルタにより互いに色が異なるマークを検出することはできるが、下地模様の有無等によってマークの同一色に濃淡がある場合、原稿の紙質の相違、紙の汚れ、しわ、及び印刷むら等によりマークの色に濃淡が生じた場合等に対応することができず、マークを正確に検出することができないという問題があった。
【００１１】
また、特許文献３に記載の画像処理装置においては、二つの色フィルタを有することにより、二つの色のマークを検出することができる。また、ＯＲ回路にて二つの色の検出信号を一つにまとめることにより、回路規模を小さくすることができる。
しかしながら、二つの色フィルタは互いに異なる色のマークを検出することはできるが、紙質の相違によるノイズ、下地模様、及びマークの印刷濃度の濃淡等に対応することはできず、同一色を有し、濃度の濃いマークと薄いマークとが混在している場合等において、マークを正確に検出することができないという問題があった。
【００１２】
本発明は斯かる事情に鑑みてなされたものであり、下地模様の有無等によって複写禁止パターンのマークの色に濃淡がある場合、原稿の紙質の相違、紙の汚れ、しわ、及び印刷むら等によりマークの色に濃淡が生じた場合等、原稿に対して認識し難い状態で含まれている場合においても特定パターンを正確に検出することができる画像処理装置、画像形成装置、コンピュータプログラム、記録媒体、及び画像処理方法を提供することを目的とする。
【課題を解決するための手段】
【００１３】
本発明に係る画像処理装置は、特定色及び特定形状を有するマークを含む特定パターンに対応する特定データに基づいて、入力された入力画像データに特定データが含まれるか否かを判定する画像処理装置において、前記特定色の複数の濃度に基づいて入力画像データをそれぞれ２値化処理し、得られた各２値化画像データを出力する２値化手段と、前記２値化手段から各２値化画像データを入力され、各２値化画像データに基づいて、前記入力画像データが前記特定データを有するか否かを判定する特定パターン有無判定手段とを備えることを特徴とする。
【００１４】
本発明においては、特定パターンのマークの同一色の複数の濃度に基づいて２値化処理を行い、マークを検出するので、同色系の下地模様がない等、色（特定色）の濃度が薄いマークを有する紙幣等の画像、同色系の下地模様がある等して、同一色で濃度が濃いマークを有する画像、周辺部に濃度が薄い下地模様を有する画像、及びこれらが混在する画像のいずれにおいても、画像データからマークに対応するデータを確実に検出することができる。
【００１５】
本発明に係る画像処理装置は、前記２値化手段は、前記特定色の濃度に基づいて入力画像データを２値化処理し、得られた２値化画像データを出力する第１の２値化手段と、前記濃度とは異なる前記特定色の濃度に基づいて前記入力画像データを２値化処理し、得られた２値化画像データを出力する第２の２値化手段とを備えることを特徴とする。
【００１６】
本発明においては、入力画像が、同色系の下地模様がない等、色（特定色）の濃度が薄いマークを含む特定パターンを有する場合、入力画像データが前記濃度に基づいて第１の２値化手段により２値化処理される。そして、入力画像が、同色系の下地模様がある等して、同一色で濃度が濃いマークを含む特定パターンを有する場合、入力画像データが前記濃度に基づいて第２の２値化手段により２値化処理される。
そして、本発明においては、複数の２値化手段を備えるので、高速処理が可能である。
【００１７】
本発明に係る画像処理装置は、前記特定パターン有無判定手段により前記特定データを有すると判定した場合に、前記特定パターンの有無に関する情報を出力する出力手段を備えることを特徴とする。
【００１８】
本発明においては、特定パターンのマークの特定形状を検出し、入力画像における特定パターンの有無に関する情報、例えば類似度（検出した特定パターンの数／特定パターンの基準となる数）等が出力される。
【００１９】
本発明に係る画像処理装置は、特定色及び特定形状を有する複数のマークを含む特定パターンの前記マークの形状についての形状情報及び各マークの画像上の位置情報を記憶する記憶手段を備え、前記特定パターン有無判定手段は、前記２値化手段から入力された各２値化画像データに基づき、前記形状情報を用いて前記入力画像データにマークが含まれるか否かを判定し、前記マークが含まれると判定した場合に、該マークの画像上の位置情報を出力するマーク検出部と、該マーク検出部から前記位置情報を入力され、入力された全ての位置情報を加算する加算部と、前記加算部が加算した位置情報と、前記各マークの画像上の位置情報とを比較して、前記入力画像データが前記特定データを有するか否かを判定する判定部とを備えることを特徴とする。
【００２０】
本発明においては、マーク検出部が１つであるので回路規模を小さくすることができる。また、１つの特定パターンに、特定色が濃いマークと薄いマークとが混在する場合、汚れ、下地の影響等で特定色に濃淡が生じた場合等においても２値化手段が夫々出力したデータの論理和をとって検出することで、確実に特定パターンを検出することができる。
【００２１】
本発明に係る画像処理装置は、特定色及び特定形状を有する複数のマークを含む特定パターンの前記マークの形状についての形状情報及び各マークの画像上の位置情報を記憶する記憶手段を備え、前記特定パターン有無判定手段は、前記第１の２値化手段及び前記第２の２値化手段から入力された各２値化画像データに基づき、前記形状情報を用いて前記入力画像データにマークが含まれるか否かを判定し、前記マークが含まれると判定した場合に、該マークの画像上の位置情報を出力する第１のマーク検出部及び第２のマーク検出部と、該第１のマーク検出部及び第２のマーク検出部から前記位置情報を入力され、入力された全ての位置情報を加算する加算部と、前記加算部が加算した位置情報と、前記各マークの画像上の位置情報とを比較して、前記入力画像データが前記特定データを有するか否かを判定する判定部とを備えることを特徴とする。
【００２２】
本発明においては、第１のマーク検出部は、第１の２値化手段から出力される２値化画像データから検出したマークの位置情報を出力する。第２のマーク検出部は、第２の２値化手段から出力される２値化画像データから検出したマークの位置情報を出力する。加算部は、各マーク検出部から入力された位置情報を加算する。判定部は、加算部から出力される複数のマークの位置情報と基準の特定パターンの複数のマークの位置情報とを比較し（相対的位置関係等を比較し）、画像データが特定データを含むか否かを判定して、その結果を出力する。
従って、前述のように、特定色の濃度が薄いマークを有する紙幣等の画像、特定色の濃度が濃いマークを有する画像、及び周辺部に濃度が薄い下地模様を有する画像のいずれにおいても、画像データから特定データを確実に検出することができ、下地模様がない薄いマークと下地模様がある濃いマークとが混在する画像から特定パターンを確実に検出することもできる。
そして、本発明においては、メモリの使用量が少ないマーク検出部は第１のマーク検出部と第２のマーク検出部とを備えるが、両者の出力を加算部にて一つにし、メモリの使用量が多い判定部は１個のみ備えた構成としている。これにより、全体としてのメモリ容量を小さく、かつ回路規模も小さくすることができる。
マーク検出部を複数有することで、単に高速化が可能であるだけでなく、第１の２値化手段の設定を薄い色から濃い色まで広い範囲で抽出できるような設定にすることができ、流通過程等で部分的に薄くなった紙幣等の画像においても検出が可能となる。また、第２マーク検出部の設定を、下地模様に対応したきめ細かい設定に変えることで判定の精度を上げることが可能である。
【００２３】
本発明に係る画像処理装置は、前記マーク検出部によりマークが含まれると判定した場合に、該マークに対応する所定の画素領域をマスク領域に設定するにじみ補正部を備え、前記マーク検出部は、前記マスク領域内でマークが含まれると判定した場合に、該マークの画像上の位置情報を出力しないように構成されていることを特徴とする。
【００２４】
本発明においては、にじみ補正部は、マーク検出部において２値化画像データに基づき特定パターンのマークが検出された場合に、マークに対応する所定の画素領域をマスク領域に設定する。
従って、例えば印刷、及びスキャナでの画像読み取り段階において発生する画像のにじみにより、所定の画素領域内においてマークが複数検出される事態を防止することができ、特定パターンの有無の判定の精度が向上する。また、マーク検出部が第１マーク検出部及び第２マーク検出部を有する場合においても、にじみ補正手段は１つとすることにより、構成の簡素化を図ることができる。
【００２５】
本発明に係る画像処理装置は、前記２値化手段は、赤の濃度Ｒ、緑の濃度Ｇ、青の濃度Ｂ、前記濃度Ｇと前記濃度Ｒとの差分、前記濃度Ｇと前記濃度Ｂとの差分、及び前記濃度Ｒと前記濃度Ｂの差分が全て設定した数値範囲にある画素と、全ては前記数値範囲内にはない画素とに対応して、前記入力画像データを２値化処理することを特徴とする。
【００２６】
本発明においては、２値化手段は、３原色の色信号だけでなく、それらの色差信号を含めた６個の信号における数値範囲を設定するので、マークを高い精度で検出することができる。すなわち、マークの色よりも薄い濃度で付加しているノイズ成分（下地、又はマークに絡まった線及び模様等の成分）を検出し、これを排除してマークを検出することができる。
特に、下地模様の色がマークの色に近い場合に、色差信号を含めた６個の信号を使うことでパターンと下地模様とを精度良く分離することが可能であり、マークが下地模様と重なって混色している場合においても、パターンの抽出が可能となる。
【００２７】
本発明に係る画像形成装置は、前述の画像処理装置と、前記特定パターン有無判定手段の判定に基づいて印刷を行うか否かを判定する印刷実行判定手段と、該印刷実行判定手段により印刷を行うと判定した場合に、前記入力画像データに基づいて印刷する手段とを備えることを特徴とする。
【００２８】
本発明においては、前記特定パターン有無判定手段により入力画像データに特定データが含まれると判定した場合に、印刷を中止したり、他の画像を付加して異なる画像に変更して印刷したりすることができ、複写禁止原稿等の原稿の複写が防止される。
【００２９】
本発明に係るコンピュータプログラムは、コンピュータに、特定色及び特定形状を有するマークを含む特定パターンに対応する特定データに基づいて、画像データに特定データが含まれるか否かを判定させるコンピュータプログラムにおいて、コンピュータに、前記特定色の濃度に基づいて前記画像データを２値化処理させる第１の２値化ステップと、コンピュータに、前記濃度とは異なる前記特定色の濃度に基づいて前記画像データを２値化処理させる第２の２値化ステップと、コンピュータに、前記第１の２値化ステップ及び前記第２の２値化ステップにより得られた２値化画像データに基づいて、前記画像データが前記特定データを有するか否かを判定させるステップとを有することを特徴とする。
【００３０】
本発明においては、コンピュータで前述の画像処理装置の各手段を実現することによって、前述の画像処理装置を実現することができる。
【００３１】
本発明に係るコンピュータ読み取り可能な記録媒体は、前述のコンピュータプログラムを記録してあることを特徴とする。
【００３２】
本発明においては、記録媒体から読み出された画像処理のプログラムによって、前述の画像処理装置をコンピュータ上で実現することができる。
【００３３】
本発明に係る画像処理方法は、特定色及び特定形状を有するマークを含む特定パターンに対応する特定データに基づいて、画像データに特定データが含まれるか否かを判定する画像処理方法において、前記特定色の濃度に基づいて前記画像データを２値化処理する第１の２値化ステップと、前記濃度とは異なる前記特定色の濃度に基づいて前記画像データを２値化処理する第２の２値化ステップと、前記第１の２値化ステップ及び前記第２の２値化ステップにより得られた２値化画像データに基づいて、前記画像データが前記特定データを有するか否かを判定するステップとを有することを特徴とする。
【００３４】
本発明においては、特定パターンのマークの同一色の複数の濃度に基づいて２値化処理を行い、マークを検出するので、特定色の濃度が薄いマークを有する紙幣等の画像、特定色の濃度が濃いマークを有する画像、周辺部に濃度が薄い下地模様を有する画像、及びこれらが混在する画像のいずれであっても、画像データからマークに対応するデータを確実に検出することができる。
【発明の効果】
【００３５】
本発明によれば、例えば複写禁止パターン等の特定パターンのマークが薄く印刷されている紙幣等の画像、特定パターンのマークが濃く印刷されて周辺部に下地模様が施されている画像、特定パターンに薄いマークと濃いマーク、下地模様があるマークとないマークとが混在した画像のいずれであっても、これらの画像データから特定データを精度良く検出して、特定パターンの有無を確実に判定することができる。
【図面の簡単な説明】
【００３６】
【図１】本発明の実施の形態１に係る画像形成装置としてのデジタル複合機を含む画像形成システムの構成を示すブロック図である。
【図２】本発明の実施の形態１に係るデジタル複合機の概略構成を示すブロック図である。
【図３】本発明の実施の形態１に係る画像処理部の構成を示すブロック図である。
【図４】本発明の実施の形態１に係る解像度変換部の構成を示すブロック図である。
【図５】本発明の実施の形態１に係る第１処理部の構成を示すブロック図である。
【図６】本発明の実施の形態１に係る画像読取部が原稿を読み取る状態を模式的に示す説明図である。
【図７】複写禁止パターンを示す説明図である。
【図８】複写禁止パターンを示す説明図である。
【図９】図８の複写禁止パターンの第１マークを拡大した図である。
【図１０】設定レジスタに設定される複数のマークの色の濃度の数値範囲を示す表である。
【図１１】マーク検出部がマークを検出するために使用するテンプレートの構成を示す説明図である。
【図１２】テンプレートマッチングによる検出動作を示す説明図である。
【図１３】マークを検出するために設定されているテンプレートのパターン（領域）を示す説明図である。
【図１４】テンプレートの周辺部白判定領域、及び該テンプレートを用いた判定のための構成例を示す説明図である。
【図１５】テンプレートの周辺部カウント領域、及び該テンプレートを用いた判定のための構成例を示す説明図である。
【図１６】テンプレートの第１中心部カウント領域、及び該テンプレートを用いた判定のための構成例を示す説明図である。
【図１７】テンプレートの第２中心部カウント領域、及び該テンプレートを用いた判定のための構成例を示す説明図である。
【図１８】テンプレートの第３中心部カウント領域、及び該テンプレートを用いた判定のための構成例を示す説明図である。
【図１９】にじみ補正部が設定するマスク領域を示す説明図である。
【図２０】判定部が使用するテンプレートを示す説明図である。
【図２１】読み取った原稿につき複写禁止パターンの有無を判定する場合の、ＣＰＵによる画像処理の手順を示すフローチャートである。
【図２２】読み取った原稿につき複写禁止パターンの有無を判定する場合の、ＣＰＵによる画像処理の手順を示すフローチャートである。
【図２３】本発明の実施の形態２に係るＣＰＵによる複写禁止パターン有無判定処理の手順を示すフローチャートである。
【発明を実施するための形態】
【００３７】
実施の形態１．
以下、本発明をその実施の形態を示す図面に基づいて具体的に説明する。
図１は、本発明の実施の形態１に係る画像形成装置としてのデジタル複合機８０を含む画像形成システム１００の構成を示すブロック図である。デジタル複合機８０は、ネットワーク９０を介してデジタルカメラ９１、パーソナルコンピュータ（以下、ＰＣという）９２、及びノート型パーソナルコンピュータ９３（以下、ノートＰＣという）と接続されている。
【００３８】
デジタル複合機８０は、透明ガラスからなる原稿載置台８２ａが設けられた画像読取部（カラースキャナ）８２を上部に有する本体８０ａを備え、画像読取部８２の上側に、原稿載置台８２ａ上で原稿を搬送する自動原稿処理部８０ｂを備えている。原稿載置台８２ａの正面側には、ユーザの操作を受け付けるための操作部８３が配されている。自動原稿処理部８０ｂは回動自在であり、原稿載置台８２ａの上側を開放して原稿を手置きすることができるように構成されている。デジタル複合機８０は、本体８０ａ内の適宜位置に設けられたインタフェース（図示せず）を介して、デジタルカメラ９１、ＰＣ９２及びノートＰＣ９３から画像データを取得できるように構成してある。
【００３９】
図２は、デジタル複合機８０の概略構成を示すブロック図である。
デジタル複合機８０は、画像処理部８１、画像読取部８２、操作部８３、印刷制御部（ＰＣＵ）８４、画像加工部（ＩＣＵ）８５、及び印刷部８６を備えている。
【００４０】
画像読取部８２は、原稿載置台８２ａに載置された原稿に光を照射する光源等の光学系と、原稿からの反射光をＲ（赤），Ｇ（緑），Ｂ（青）の各色成分の電気信号に変換する光電変換素子（以下、ＣＣＤ：Charge Coupled Deviceという）を主走査方向に複数配したＣＣＤラインセンサとを備える（いずれも図示せず）。画像読取部８２は、操作部８３から入力された読取開始の指示に応じて、原稿載置台８２ａ上の所定位置に載置された原稿に対し光学系より光を照射し、主走査方向と水平面内で直交する副走査方向に光学系を移動させながら、原稿からの反射光をＣＣＤラインセンサに結像させて電気信号に変換する。
画像読取部８２は、さらに、ＣＣＤラインセンサが出力した電気信号に対して、原稿を読み取った時の光源の配光特性、ＣＣＤラインセンサの感度ムラ等の特性を補正し、補正した電気信号を画像データとして画像処理部８１及びＩＣＵ８５へ与える。この画像データは、ネットワーク９０を介してＰＣ９２及びノートＰＣ９３へ与えることができるように構成されている。
画像読取部８２が出力する画像データは、複数の画素によって構成されており、各画素がＲＧＢ各色について夫々２５６階調を有するため、１６７７７２１６色のいわゆるフルカラーを表現することができる。また、画像読取部８２が有する主走査方向及び副走査方向の光学解像度は、６００ＤＰＩ（Dot Per Inch）である。
【００４１】
ＩＣＵ８５はＨＤＤ（ハードディスクドライブ）８５１及びメモリ８５２を備えており、画像読取部８２にて読み取られた原稿の画像データ（ＲＧＢのデータ）を印刷用の画像データに加工する。
【００４２】
画像処理部８１は、入力された画像データに対応する画像が複写禁止原稿画像であることを示す複写禁止パターン（特定パターン）を含むか否かを判定する。複写禁止パターンは、例えば紙幣、有価証券、及び機密書類等の複写を禁止すべき原稿の画像中に含まれ、例えば特定の色を有し、かつ特定の形状を有するマークが複数、特定の位置に配されてなる（図７の複写禁止パターン７１及び図８の複写禁止パターン７２参照）。画像処理部８１は、入力された画像データから複写禁止データ（複写禁止パターンに対応するデータ：特定データ）を検出した場合、検出した複写禁止データの数を加算し、類似度（検出した複写禁止パターンの数／検出すべき複写禁止パターンの数）をＰＣＵ８４へ出力する。又は、画像処理部８１が前記類似度が閾値以上であるか否かを判定し、前記類似度が閾値以上である場合に、入力原稿が複写禁止原稿であることをＰＣＵ８４へ通知することにしてもよい。
【００４３】
ＰＣＵ８４においては、ＣＰＵ８４１にＲＯＭ８４２、ＲＡＭ８４３、及び入出力インタフェース８４４がバス接続されており、ＲＯＭ８４２に予め格納されている制御プログラムに従って、ＣＰＵ８４１は、デジタル複合機８０内の各部が協調して動作するように、デジタル複合機８０全体の動作を制御する。ＰＣＵ８４は、画像処理部８１から入力された前記類似度に基づいて、画像データに基づく画像を印刷するか否かを判定し、ＩＣＵ８５及び印刷部８６における前記画像データの処理動作を制御する。例えば、前記類似度が閾値以上であると判定した場合に、ＩＣＵ８５による前記画像データの加工処理及び印刷部８６による前記画像の印刷を禁止する。そして、ＰＣＵ８４は、ＩＣＵ８５のＨＤＤ８５１及びメモリ８５２に格納されている前記画像データに関するデータを全て消去させる。この場合、ＰＣＵ８４は、操作部８３の図示しない表示部に、複写禁止パターンの類似度、及び警告を表示する。
画像処理部８１及びＰＣＵ８４により本発明の画像処理装置が構成される。
【００４４】
印刷部８６は、感光体ドラム、該感光体ドラムに静電潜像を形成するレーザ書込装置、形成された静電潜像を現像して感光体ドラムにトナー画像を形成する現像器、及び形成されたトナー画像をシート（用紙）に転写する転写器を備えており、いわゆる電子写真方式により、ＩＣＵ８５から与えられた画像データに基づいてシート上に出力画像を形成する。
なお、印刷部８６は、電子写真方式のほか、インクジェット方式、熱転写方式、及び昇華方式等の他の方式によって画像形成を行うように構成してもよい。印刷部８６は、また、ＰＣＵ８４から出力画像を形成しないように制御された場合、ＩＣＵ８５から与えられた画像データに適当なノイズを付加した画像データに基づいて出力画像を形成するようにしてもよい。
【００４５】
図３は、画像処理部８１の構成を示すブロック図である。
画像処理部８１は、解像度変換部２３、第１処理部（第１の２値化手段）１、第２処理部（第２の２値化手段）２、マーク検出部３、加算部４、及び判定部５を備えている。マーク検出部３、加算部４、及び判定部５により請求項の特定パターン有無判定手段が構成される。
【００４６】
解像度変換部２３は、画像読取部８２、デジタルカメラ９１、ＰＣ９２、ノートＰＣ９３等の画像入力装置から入力された画像データを一定の解像度に変換し、第１処理部１，第２処理部２へ出力する。本実施の形態においては、画像読取部８２からＲＧＢ各８ビットの画像データが解像度変換部２３へ入力される。デジタル複合機８０内部のメモリ容量削減及び高速化のために、解像度変換部２３においては画像の解像度が変換される。
【００４７】
図４は、解像度変換部２３の構成を示すブロック図である。
解像度変換部２３は、主走査方向解像度変換部３１、副走査方向解像度変換部３２、メモリ３３、及び設定レジスタ３４を備えている。
主走査方向解像度変換部３１は、画像データについて主走査方向の解像度を所定の解像度に変換する。例えば６００ＤＰＩのＲＧＢ夫々８ビット（２５６階調）の画像データを、２画素の平均値を取ることにより３００ＤＰＩに変換する。
副走査方向解像度変換部３２は、同様に画像データについて副走査方向の解像度を所定の解像度に変換する。主走査方向と同様、例えば、６００ＤＰＩのＲＧＢ夫々８ビットの画像データを、２画素の平均値を取ることによって３００ＤＰＩに変換する。ただし、副走査方向においては、光学系の移動速度の設定により画像を変倍することがあり、解像度変換の倍率が一定ではない。このため、副走査方向においては、解像度を設定レジスタ３４に設定された倍率に従って変倍する。メモリ３３は、副走査方向解像度変換部３２による副走査方向の解像度変換動作の際に、副走査方向の複数ラインのデータを一時的に記憶する。
【００４８】
第１処理部１，第２処理部２は、解像度変換部２３から入力された画像データを、複写禁止パターンのマークの特定色の相対的に薄い濃度に対応して設定した閾値，濃い濃度に対応して設定した閾値に基づいて各別に２値化処理してマーク検出部３へ出力する。すなわち、第１処理部１により下地模様がなく、薄い特定色を有するマークが検出され、第２処理部２により下地模様があり、濃い特定色を有するマークが検出される。
第１処理部１，第２処理部２は、色差分演算部６，９、比較器７，１０、及び設定レジスタ８，１１を備えている。
【００４９】
マーク検出部３は、第１マーク検出部１４、第２マーク検出部１７、にじみ補正部１８、及びメモリ１９を備えている。マーク検出部３は、第１処理部１，第２処理部２から夫々入力された２値化画像データから複写禁止パターンを示すマークを検出した場合、該マークの位置データ（位置情報）を加算部４へ出力する。
第１マーク検出部１４，第２マーク検出部１７は、形状識別部１３，１６と、メモリ１２，１５とを備えている。第１マーク検出部１４，第２マーク検出部１７は、第１処理部１，第２処理部２から２値化画像データを入力され、形状識別部１３は、特定色の低濃度側の閾値に基づく２値化画像データからマーク及びその位置を検出する。形状識別部１６は、特定色の高濃度側の閾値に基づく２値化画像データからマーク及びその位置を検出する。メモリ１２，１５は、形状識別部１３，１６がマーク及び位置の検出処理を複数ライン毎に行うので、画像データを複数ライン単位で一時的に記憶する。
第１マーク検出部１４，第２マーク検出部１７へは、頁同期信号及びライン同期信号が入力される。
【００５０】
にじみ補正部１８は、第１マーク検出部１４，第２マーク検出部１７によりマークが検出された場合に、該マークの位置に基づく所定の画素領域をマスク領域に設定する。これにより、本来１個であるマークが、例えば印刷及びスキャナでの画像読み取り段階において発生する画像のにじみ等により、所定範囲内において複数検出される事態が防止される。従って、にじみ補正部１８により同一のマークを第１マーク検出部１４と第２マーク検出部１７とで位置が近似した２個のマークとして検出することが防止される。メモリ１９は、にじみ補正部１８が上述の処理を行う場合に、画像データを複数ライン単位で一時的に記憶する。
【００５１】
加算部４は例えばＯＲ回路からなり、第１マーク検出部１４と第２マーク検出部１７とから入力された位置データを加算し、すなわちＯＲ演算して判定部５へ出力する。
【００５２】
判定部５は、メモリ２０、ベクトル演算部２１、及び類似度算出部２２を備えている。  ベクトル演算部２１は、加算部４から入力されたマークの位置データに基づいてベクトル演算を行い、該位置データが、基準となる複写禁止パターン（基準複写禁止パターン）の位置データを示すものであるか否かを判定する。メモリ２０は、ベクトル演算部２１が上述の動作を行う場合の作業領域となる。類似度算出部２２は、ベクトル演算部２１により位置データが複写禁止パターンの位置データを示すものと判定した場合に、検出した複写禁止パターンの数を加算し、入力原稿の複写禁止原稿に対する類似度（検出した複写禁止パターンの数／複写禁止パターンの基準となる数）を算出してＰＣＵ８４へ出力する。
【００５３】
以下に、第１処理部１の構成について詳述する。第１処理部１及び第２処理部２は基本的に同様の構成であるので、第１処理部１を例として図５に基づいて説明する。
図５は、第１処理部１の構成を示すブロック図である。
第１処理部１の色差分演算部６は、解像度変換部２３から入力されたＲ、Ｇ、Ｂの夫々８ビットの画像データから、Ｇ−Ｒ（緑と赤の色差）、Ｇ−Ｂ（緑と青の色差）、Ｒ−Ｂ（赤と青の色差）を計算する。これにより得られたデータ（色差信号の値）が負になった場合、９ビットになる。そして、色差分演算部６は、Ｒ、Ｇ、Ｂ、Ｇ−Ｒ、Ｇ−Ｂ、Ｒ−Ｂの６種類のデータを比較部７へ出力する。
設定レジスタ８は、Ｒ、Ｇ、Ｂ、Ｇ−Ｒ、Ｇ−Ｂ、Ｒ−Ｂの６個のパラメータの夫々について、数値範囲を設定するように構成されている。
【００５４】
比較部７は、色差分演算部６から入力した画像データの６個のパラメータと、設定レジスタ８においてパラメータ毎に設定されている数値範囲とを比較し、比較した結果を２値化データとして出力する。すなわち、６個のパラメータの全てが各パラメータの設定数値範囲内に入る場合には１を出力し、それ以外の場合には０を出力する。以上のように２値化処理することにより、ＲＧＢ各々８ビットの画像データは１ビットとなり、データ量が１／２４になる。
【００５５】
ここで、設定レジスタ８に設定される前記最大値及び最小値の具体例を示す。データは各色０から２５５の８ビットで２５５が薄い色、０が濃い色であるが、マークの特定色が黄色の場合、下地模様が付加されず、マーク本体の輪郭が薄い黄色を有するマークを検出するとき、設定レジスタ８において、Ｒ：１２５以上２４５以下、Ｇ：１２７以上２２９以下、Ｂ：８０以上１９２以下、Ｇ−Ｒ：−５３以上２４以下、Ｇ−Ｂ：２以上１０７以下、Ｒ−Ｂ：１３以上１１５以下に設定される。例えば青成分の上限閾値（Ｂｍａｘ）の設定を大きくすることでパターンの薄い色を検出することができ、青成分の下限閾値（Ｂｍｉｎ）の設定を小さくすることで、下地模様のない薄いパターンのみでなく、下地模様のない濃いパターンも検出することができる。
【００５６】
第２処理部２の設定レジスタ１１においては、下地模様が付加され、マーク本体の輪郭が濃い黄色を有するマークを検出するとき、Ｒ：１４５以上２３５以下、Ｇ：１３２以上２１９以下、Ｂ：７０以上１５７以下、Ｇ−Ｒ：−４８以上１４以下、Ｇ−Ｂ：４２以上１１２以下、Ｒ−Ｂ：４３以上１３５以下に設定される。
【００５７】
図６は、画像読取部８２が原稿を読み取る状態を模式的に示す説明図である。図６は、原稿載置台８２ａの下面側から原稿７８を見た状態を示しており、原稿７８の上部右側（図６では左側部分）には複写禁止パターン７２が形成されている。画像読取部８２のＣＣＤラインセンサが原稿７８からの反射光を主走査方向Ａに走査する都度、複数の画素からなる１ライン分の画像データがＣＣＤラインセンサから取得される。この間、図示しないステッピングモータにより光学系を副走査方向Ｂへ所定のステッピング周期で移動させることにより、原稿７８の全面について画像データが取得される。取得された画像データは、ＩＣＵ８５を介し印刷部８６へ与えられる。
【００５８】
図７は、複写禁止パターン７１を示す説明図である。図７に示す複写禁止パターン７１は例えば矩形状をなし、薄い黄色を有するマーク７１ａが５個直線上に並設されてなる。
【００５９】
図８は、複写禁止パターン７２を示す説明図である。
複写禁止パターン７２は、第１マーク７３、第２マーク７４、第３マーク７５、第４マーク７６、及び第５マーク７７が直線上に並設されてなる。第４マーク７６は例えば矩形状をなし、薄い黄色を有するマーク７２ａからなる。第１マーク７３、第２マーク７４、第３マーク７５、第５マーク７７は、中心に、例えば矩形状をなし、濃い黄色を有するマーク７２ｂを備えている。第１マーク７３、第２マーク７４、第３マーク７５は、マーク７２ｂと一辺の長さが異なるマークを有しており、第２マーク７４、第３マーク７５、及び第５マーク７７は下地模様を有する。そして、第１マーク７３、第２マーク７４、第３マーク７５、及び第５マーク７７には、各マークから離れた点を起点としてマーク側に延びる線分が重ね合わされている。以上のようなカムフラージュにより複写禁止パターン７２は視認され難くされている。
マーク７１ａ、７２ａが薄い黄色を有するようにしてあるのは、薄い黄色は肉眼では見え難いためである。
複写禁止パターン７２の場合、マーク７２ａは第１マーク検出部１４により検出され、マーク７２ｂは第２マーク検出部１７により検出され、判定部５のメモリ２０には直線上に並ぶ計５点のマーク７２ａ，７２ｂが記憶されることになる。
なお、上述の複写禁止パターン７１，７２は一例であり、マーク７１ａ，７２ａ，７２ｂの形状、数、配置の間隔及び並設方向は上述した場合に限定されるものではない。
【００６０】
図９は、図８の複写禁止パターン７２の第１マーク７３を拡大した図である。図中、領域Ａはマーク７２ｂに相当し、領域Ｂは前記線分であり、領域Ｃはマーク７２ｂと線分とが重なった領域である。
領域Ａの画素の色が検出すべきマークの色、領域Ｂの画素の色が検出してはいけない線分の色、領域Ｃの画素の色が検出すべきマークの色（但し、線分の影響で領域Ａの色に領域Ｂの色が混色している）である場合、Ｒ、Ｇ、Ｂのみでは微妙な色の抽出はできないが、第２処理部２において、上述したようにＧ−Ｒ、Ｇ−Ｂ、Ｒ−Ｂの色差を用いるので領域Ａ及び領域Ｃの画素の色の抽出が可能となる。
【００６１】
図１０に、設定レジスタに設定される複数のマークの色の濃度の数値範囲を示す。図１０に示すように、設定レジスタには、複写禁止パターンのマークが、下地模様のない薄い黄色を有する場合、下地模様のある濃い黄色を有する場合、赤色を有する場合、薄い黒色を有する場合、濃い黒色を有する場合夫々の色の濃度の数値範囲が設定されている。本実施の形態においては、上述したように、設定レジスタ８に下地模様のない薄い黄色を有する場合の数値範囲、設定レジスタ１１に下地模様のある濃い黄色を有する場合の数値範囲が設定される。
【００６２】
以下、薄い黄色を有する１個のマーク７２ａと、濃い黄色を有する４個のマーク７２ｂとを備える複写禁止パターン７２を検出する場合について説明する。複写禁止パターン７２は原稿に所定数含まれていることとする。
図１１は、マーク検出部３がマークを検出するために使用するテンプレート５１の構成を示す説明図である。本実施の形態では、複写禁止パターン７２のマーク７２ａ，７２ｂを検出するために、主走査方向Ａ及び副走査方向Ｂに夫々１５画素及び１５ライン分の大きさを有する矩形のテンプレート５１を使用する。テンプレート５１はメモリ１２，１５に記憶されている。以下の説明では、図の左上の画素の位置を原点とする。テンプレート５１上の位置は、主走査方向Ａのアドレス（０〜１４）と副走査方向Ｂのライン番号（ＰＭＲＥＧ０〜１４）との組み合わせで表される（いずれも０オリジン）。
【００６３】
図１２は、テンプレートマッチングによる検出動作を示す説明図である。図１２には、１ページ分の画像データが、原点から主走査方向Ａに４０００画素分、及び副走査方向Ｂに９４５０ライン分並べられた原稿画像のイメージとして示されている。マーク検出部３は、マークを検出する場合、テンプレート５１の原点を原稿画像の原点に一致させた状態から、テンプレート５１全体を主走査方向Ａ及び副走査方向Ｂに夫々１画素分及び１ライン分シフトさせる都度、テンプレートマッチングを行う。テンプレート５１のシフトは、主走査方向Ａへの「４０００−１５」回のシフトと副走査方向Ｂへの１回のシフトとを交互に繰り返し、副走査方向Ｂへ計「９４５０−１５」回シフトするようにしてある。
なお、領域Ｅは、マーク７１ａ，７１ｂが検出される可能性がある領域であり、領域Ｆは、マーク７１ａ，７１ｂが検出されることがない領域である。
【００６４】
図１３は、マークを検出するために設定されているテンプレート５１のパターン（領域）を示す説明図である。図１３（ａ）〜（ｅ）に示すテンプレート５１ａ，５１ｂ，５１ｃ，５１ｄ，５１ｅの夫々には、周辺部白判定領域、周辺部カウント領域、第１中心部カウント領域、第２中心部カウント領域、及び第３中心部カウント領域が設定されている。  マーク検出部３が行うテンプレートマッチングにおいては、これらの各領域内で画素値が１である画素の数（２値化画像データでは黒画素の数）をカウントし、予め設定された閾値と比較することによってマークが含まれているか否かを判定する。
【００６５】
図１４は、テンプレート５１ａの周辺部白判定領域、及び該テンプレート５１ａを用いた判定のための構成例を示す説明図である。図１４（ａ）で斜線を施した領域が周辺部白判定領域である。図１４（ｂ）には、判定を実行するためのＮＯＲ回路５２と、該ＮＯＲ回路５２へ入力される値を求める式が示されている。例えば、「ＰＭＲＥＧ３＜１４：１２＞，＜２：０＞」の式は、テンプレート５１ａの３番目のラインと重なる位置に存在する主走査方向Ａの画素のうち、０番目から２番目までの位置及び１２番目から１４番目までの位置に含まれる全ての画素が有する値（１又は０）の集合を表している（以下同様）。同様の式で表される合計１４４ビットの値がＮＯＲ回路５２に入力され、入力値の全てが０であるときに、ＮＯＲ回路５２の出力値が１となる。即ち、周辺部白判定領域と重なる位置に存在する全ての画素が画素値０を有するときに、判定結果が１となり、周辺部が白であるという条件が成立することを示す。
【００６６】
図１５は、テンプレート５１ｂの周辺部カウント領域、及び該テンプレート５１ｂを用いた判定のための構成例を示す説明図である。図１５（ａ）で斜線を施した領域が周辺部カウント領域である。図１５（ｂ）には、判定を実行するためのカウンタ５３及び比較器５４と、カウンタ５３へ入力される値を求める式とが示されている。カウンタ５３には、周辺部カウント領域と重なる位置に存在する３２個の画素が有する値の集合が入力され、カウンタ５３でカウントされた画素値１を有する黒の画素数Ａとレジスタに予め設定された値Ｂとが比較器５４で比較された結果、黒の画素数Ａが設定値Ｂ以下であるときに、判定結果が１となって条件が成立することを示す。
【００６７】
図１６は、テンプレート５１ｃの第１中心部カウント領域、及び該テンプレート５１ｃを用いた判定のための構成例を示す説明図である。図１６（ａ）で斜線を施した領域が第１中心部カウント領域である。図１６（ｂ）には、判定を実行するためのカウンタ５５及び比較器５６と、カウンタ５５へ入力される値を求める式とが示されている。カウンタ５５には、第１中心部カウント領域と重なる位置に存在する２４個の画素が有する値の集合が入力され、カウンタ５５でカウントされた画素値１を有する黒の画素数Ａとレジスタに予め設定された値Ｂとが比較器５６で比較された結果、黒の画素数Ａが設定値Ｂ以下であるときに、判定結果が１となって条件が成立することを示す。
【００６８】
図１７は、テンプレート５１ｄの第２中心部カウント領域、及び該テンプレート５１ｄを用いた判定のための構成例を示す説明図である。図１７（ａ）で斜線を施した領域が第２中心部カウント領域である。図１７（ｂ）には、判定を実行するためのカウンタ５７及び比較器５８と、カウンタ５７へ入力される値を求める式とが示されている。カウンタ５７には、第２中心部カウント領域と重なる位置に存在する１６個の画素が有する値の集合が入力され、カウンタ５７でカウントされた画素値１を有する黒の画素数Ａとレジスタに予め設定された２つの異なる値（設定値Ｂ及び設定値Ｃ）とが比較器５８で比較される。この結果、黒の画素数ＡがＣ以上Ｂ以下である場合、判定結果が１となって条件が成立する。
【００６９】
図１８は、テンプレート５１ｅの第３中心部カウント領域、及び該テンプレート５１ｅを用いた判定のための構成例を示す説明図である。図１８（ａ）で斜線を施した領域が第３中心部カウント領域である。図１８（ｂ）には、判定を実行するためのカウンタ５９及び比較器７０と、カウンタ５９へ入力される値を求める式とが示されている。カウンタ５９には、第３中心部カウント領域と重なる位置に存在する９個の画素が有する値の集合が入力され、カウンタ５９でカウントされた画素値１を有する黒の画素数Ａとレジスタに予め設定された値Ｂとが比較器７０で比較された結果、黒の画素数Ａが設定値Ｂ以上であるときに、判定結果が１となって条件が成立することを示す。
【００７０】
図１４〜１８で説明した判定条件が全て成立する場合、マーク検出部３は、ラインメモリに記憶した画像データからマークを検出したと判定する。マーク検出部３は、マークを検出した場合、テンプレート５１（５１ａ，５１ｂ，５１ｃ，５１ｄ，５１ｅ）の原点と重なる画素の位置をテンプレートマッチングポイントとし、前記画素が１となる位置データを加算部４へ与える。
【００７１】
図１９は、にじみ補正部１８が設定するマスク領域を示す説明図である。にじみ補正部１８は、第１マーク検出部１４，第２マーク検出部１７においてマーク７２ａ，７２ｂが検出された場合に、そのテンプレートマッチングポイントから、例えば後ろ１４画素及び副走査方向の後ろ１４ラインをマスク領域とする。これにより、前記マスク領域内においてマークが検出された場合に、第１マーク検出部１４，第２マーク検出部１７から、テンプレートマッチングポイントに対応する画素につき１が出力されない。その結果、所定領域内において本来一つであるマークが複数個のマークとして検出される事態が防止される。
【００７２】
図２０は、判定部５が使用するテンプレート６０を示す説明図である。テンプレート６０はメモリ２０に記憶されている。テンプレート６０は、主走査方向Ａ及び副走査方向Ｂに夫々１０１画素及び１０１ライン分の大きさを有する矩形の領域に、点Ｐ２を中心とする同心のリングを外側から順にリング６１，６２，６３，６４を設けてなる。点Ｐ０を通り、主走査方向Ａ及び副走査方向Ｂと略４５°の角度をなす直線と、リング６１，６３，６４，６２との交点を点Ｐ０，Ｐ１，Ｐ３，Ｐ４とする。本実施の形態では、点Ｐ０〜Ｐ４に位置する点状のマーク６５ａ，６５ａ，６５ａ，６５ａ，６５ａからなる画像を基準の位置パターン６５とする。
【００７３】
判定部５が加算部４から与えられた位置データにテンプレート６０を適用してテンプレートマッチングを行った場合、リング６１，６３，６４，６２上で検出した点状のマークが存在する位置を夫々点Ｐ０，Ｐ１，Ｐ３，Ｐ４とする。
ベクトル演算部２１は、テンプレート６０の中心にＸＹ座標の原点を置き、点Ｐ０，Ｐ１，Ｐ３，Ｐ４の座標を夫々（Ｘ１，Ｙ１），（Ｘ２，Ｙ２），（Ｘ３，Ｙ３），（Ｘ４，Ｙ４）とした場合、以下の（ａ）〜（ｄ）の条件が全て成立するか否かを判定する。
【００７４】
（ａ）テンプレート６０と重なる領域内に存在する点は６個以下である。図２０に示すように、６番目のマークが点Ｐ６の座標に存在するのは許容される。
（ｂ）テンプレート６０の中央に点Ｐ２が存在する。
（ｃ）リング６１，６２，６３，６４上に各１個のマークが存在する。
（ｄ）リング６１，６３上のマークと、リング６２，６４上のマークとが、テンプレート６０の中心を境にして、互いに対向する。
【００７５】
上記の各条件が成立した場合、ベクトル演算部２１は点Ｐ０〜Ｐ４の直線度を算出する。すなわち、ベクトル演算部２１は下記式（１）〜（３）の条件が全て成立する場合、点Ｐ０〜Ｐ４が直線的に並んでいると判定し、位置パターン６５を検出したものとする。
（ｅ）｜Ｘ１×Ｙ２−Ｙ１×Ｘ２｜＜α１・・・・・・・・・・（１）
（ｆ）｜Ｘ３×Ｙ２−Ｙ３×Ｘ２｜＜α２・・・・・・・・・・（２）
（ｇ）｜Ｘ１×Ｙ４−Ｙ１×Ｘ４｜＜α３・・・・・・・・・・（３）
但し、α１，α２，α３は、予め設定された常数とする。
【００７６】
位置パターン６５が検出された場合、類似度計算部２２は検出した位置パターンの数をインクリメントし、画像１ページ分の検出が終了したと判定したときに、前記類似度をＰＣＵ８４へ通知する。
【００７７】
以下に、実施の形態１の画像処理方法について説明する。
図２１及び図２２は、読み取った原稿につき複写禁止パターンの有無を判定する場合の、ＣＰＵ８４１による画像処理の手順を示すフローチャートである。図２１及び図２２の処理は、原稿の各ページの読み取りが可能となったときに起動され、ＣＰＵ８４１は、ＲＯＭ８４２に予め格納されている制御プログラム（画像処理プログラム）を読み出し、該画像処理プログラムに従って画像処理を実行する。
なお、出力の禁止を示す禁止フラグ、及び印字出力の指示ありを示す印字フラグは、ＲＡＭ８４３に記憶されるものとする。
【００７８】
図２１及び図２２の処理が起動された場合、ＣＰＵ８４１は、まず、禁止フラグを一旦０にクリアし（Ｓ１）、操作部８３からユーザによるモード設定を受け付けたか否かを判定する（Ｓ２）。モード設定を受け付けていないと判定した場合（Ｓ２：ＮＯ）、この判定を繰り返す。
ＣＰＵ８４１は、モード設定を受け付けたと判定した場合（Ｓ２：ＹＥＳ）、操作部８３からユーザによる読取開始の指示があったか否かを判定する（Ｓ３）。読取開始の指示がないと判定した場合（Ｓ３：ＮＯ）、この判定を繰り返す。
ＣＰＵ８４１は読取開始の指示があったと判定した場合（Ｓ３：ＹＥＳ）、印字出力の指示なしを示すために、印字フラグを０にクリアする（Ｓ４）。
【００７９】
次いで、ＣＰＵ８４１は、画像読取部８２を制御して原稿の読取処理を開始する（Ｓ５）。具体的には、原稿載置台８２ａ上に載置された原稿を読み取ってＲＧＢの画像データを生成する。ＣＰＵ８４１は、生成した画像データを画像処理部８１とともにＩＣＵ８５へ転送する（Ｓ６）。
【００８０】
そして、ＣＰＵ８４１は、設定されたモードが、モノクロモード、フルカラーモード、及び自動モードのうちのいずれのモードであるかを判定する（Ｓ７）。ＣＰＵ８４１は、モノクロモードであると判定した場合、処理をステップＳ１３へ進める。本実施の形態においては、複写禁止パターン７２のマーク７２ａ及び７２ｂは着色されているので、設定モードがモノクロモードである場合、複写禁止パターン７２は検出されない。
【００８１】
ＣＰＵ８４１は、フルカラーモード又は自動モードであると判定した場合、検出に係る処理を起動させる（Ｓ８）。自動モードに設定されている場合、カラー原稿についてはカラー印刷に係る処理が行われるので、複写禁止パターン７２は検出され得る。
ＣＰＵ８４１は、入力された画像データを解像度変換部２３により一定の解像度に変換させ、変換した画像データを画像処理部８１によりマーク７２ａ，７２ｂ夫々の色の濃度に対応して２値化処理させる（Ｓ９）。
そして、ＣＰＵ８４１は、画像処理部８１により上述したようにして複写禁止パターン７２の類似度を算出させ、類似度をＰＣＵ８４へ出力させる（Ｓ１０）。
【００８２】
ＣＰＵ８４１は、入力された前記類似度が閾値以上であるか否かを判定する（Ｓ１１）。前記類似度が閾値未満であると判定した場合（Ｓ１１：ＮＯ）、処理をステップＳ１３へ進める。
ＣＰＵ８４１は、類似度が閾値以上であると判定した場合（Ｓ１１：ＹＥＳ）、出力の禁止を示す禁止フラグを１にセットする（Ｓ１２）。
【００８３】
ステップＳ１３において、ＣＰＵ８４１は、禁止フラグが１にセットされているか否かを判定する。禁止フラグが１にセットされていないと判定した場合（Ｓ１３：ＮＯ）、印字フラグを１にセットする（Ｓ１５）。そして、ＣＰＵ８４１は、入力画像データ（原稿）がカラーかモノクロかを判定する（Ｓ１６）。原稿がカラーであると判定した場合、カラー系の印刷のための画像処理をＩＣＵ８５により行って、印刷部８６により出力（印刷）処理し（Ｓ１７）、原稿がモノクロであると判定した場合、モノクロ系の印刷のための画像処理をＩＣＵ８５により行って、印刷部８６により出力処理し（Ｓ１８）、処理を終了する。
【００８４】
ＣＰＵ８４１は、禁止フラグが１にセットされていると判定した場合（Ｓ１３：ＹＥＳ）、出力処理（シートへの画像の形成、及びメモリ８５２への画像データの記憶）を禁止し（Ｓ１４）、出力処理が禁止されている旨をユーザに通知し（Ｓ１９：請求項２の「出力手段」）、処理を終了する。ＣＰＵ８４１は、ここで、類似度を報知することにしてもよい。
【００８５】
本実施の形態においては、下地模様がなく、薄い黄色を有するマーク７２ａが第１処理部１により２値化された上で第１マーク検出部１４により検出され、下地模様等を有し、濃い黄色を有するマーク７２ｂが第２処理部２により２値化された上で第２マーク検出部１７により検出される。
従って、複写禁止パターン７２の同一形状及び同一色を有するマーク７２ａ、７２ｂの、夫々の色の濃度の違いに基づいて各別に２値化処理を行ってマークを検出するので、マーク７２ａ、７２ｂが混在する複写禁止パターン７２を画像データから確実に検出することができる。すなわち、本実施の形態においては、下地模様の有無等によって複写禁止パターンのマークの色に濃淡がある場合、原稿の紙質の相違、紙の汚れ、しわ、及び印刷むら等によりマークの色に濃淡が生じた場合等のいずれの場合であっても、画像からマークを確実に検出することができる。そして、複写禁止パターンがマーク７２ａのみを有する場合、複写禁止パターンがマーク７２ｂのみを有する場合等であっても、画像データからマークを確実に検出することができる。
【００８６】
また、本実施の形態においては、メモリの使用量が少ないマーク検出部３は第１マーク検出部１４と第２マーク検出部１７とを備えるが、両者の出力を加算部４にて一つにし、メモリの使用量が多い判定部５は１個のみ備えた構成としている。これにより、全体としてのメモリ容量を小さく、かつ回路規模も小さくすることができる。そして、第１処理部１及び第２処理部２が夫々出力したデータの論理和をとって検出するので、確実に複写禁止パターン７２を検出することができる。
マーク検出部を２つ有することで、単に高速化が可能であるだけでなく、第１処理部１の設定を薄い色から濃い色まで広い範囲で抽出できるような設定にすることができ、流通過程等で部分的に薄くなった原稿でも検出することが可能となる。また、第２マーク検出部１７の設定を、下地模様に対応してきめ細かく行うことで判定の精度を上げることができる。
なお、さらに回路規模を小さくするために、マーク検出部を１つにすることも可能である。
【００８７】
また、本実施の形態においては、にじみ補正部１８により、例えば画像読取部８２での画像読み取り段階において発生する画像のにじみにより、所定の画素領域内においてマークが複数検出される事態を防止することができ、複写禁止パターン７２の有無の判定の精度が向上する。
【００８８】
さらに、本実施の形態においては、第１処理部１及び第２処理部２は、３原色の色信号だけでなく、それらの色差信号を含めた６個の信号において数値範囲を設定するので、マークを高い精度で検出することができる。すなわち、マークの色よりも薄い濃度で付加しているノイズ成分を排除してマークを検出することができる。特に、マークが下地模様と重なって混色している場合においても、複写禁止パターン７２の抽出が可能となる。
【００８９】
なお、本実施の形態においては、原稿に複写禁止パターン７２が複数個含まれ、（検出した複写禁止パターン７２の数）／（基準の複写禁止パターン７２の数）を類似度として算出する場合につき説明しているがこれに限定されるものではなく、複写禁止パターン７２は原稿に１個含まれるものであってもよい。また、位置データのテンプレートマッチングを行う際に、マーク７２ａ，７２ｂの配置も検出するようにして、検出した複写禁止パターン７２の基準複写禁止パターン７２に対する類似度を求めることにしてもよい。
【００９０】
そして、本実施の形態においては、画像処理部８１が、第１処理部（２値化手段）１及び第２処理部２を備える場合につき説明しているがこれに限定されるものではなく、処理部は１つのみ備えることにしてもよく、３以上備えることにしてもよい。処理部を１つのみ備える場合、設定レジスタの設定値を切り替えて複数回、２値化処理を行う。但し、処理部を複数備える方が、より高速に処理を行うことができる。
【００９１】
実施の形態２．
本発明の実施の形態２に係るデジタル複合機は、実施の形態１に係るデジタル複合機８０と同様の構成を有する。実施の形態１に係るデジタル複合機８０の画像処理部８１の各ブロック、第１処理部１、第２処理部２、マーク検出部３、加算部４及び判定部５はハードウェアロジックによって構成されているのに対し、本実施の形態に係る画像処理部８１は、ＣＰＵ８４１を用いてソフトウェアによって実現されている点が異なる。すなわち、実施の形態１においては、画像処理部８１により２値化処理させてマーク７２ａ，７２ｂを検出させ、位置データに基づき複写禁止パターン７２と一致するか否かを判定させ、一致すると判定した場合に検出数を加算して類似度を算出させているのに対し、本実施の形態においては、コンピュータプログラムによって画像処理部８１をコンピュータ上で実現している。
【００９２】
図２３は、ＣＰＵ８４１による複写禁止パターン有無判定処理の手順を示すフローチャートである。以下の処理は、ＣＰＵ８４１が、ＲＯＭ８４２に予め格納されている画像処理プログラムを読み出し、該画像処理プログラムに従って画像処理を実行する。前記画像処理プログラムは、実施の形態１における画像処理プログラムのステップＳ１〜Ｓ７、ステップＳ１１〜Ｓ１９と同一のステップを有する。以下に、実施の形態１における画像処理プログラムと異なるステップを有し、画像処理部８１の機能を実現するためのプログラム部分について説明する。
ＣＰＵ８４１は、実施の形態１に係る画像処理プログラムのステップＳ７までの処理をし、設定モードが自動モード又はフルカラーモードであると判定した場合（Ｓ７）、検出を開始するか否かを判定する（Ｓ３１）。検出を開始しないと判定した場合（Ｓ３１：ＮＯ）、この判定を繰り返す。
ＣＰＵ８４１は、検出を開始すると判定した場合（Ｓ３１：ＹＥＳ）、複写禁止パターン７２の検出数ｎを０とする（Ｓ３２）。
【００９３】
次いで、ＣＰＵ８４１は、マーク７２ａの黄色の低濃度側の値に基づいて設定された閾値に従って２値化する第１処理を行う（Ｓ３３）。
ＣＰＵ８４１は、第１処理により得られた２値化画像データを所定の画素領域分、ＲＡＭ８４３に記憶させ、テンプレートマッチングによりマーク７２ａを検出したか否かを判定する（Ｓ３４）。ＣＰＵ８４１は、マーク７２ａを検出しないと判定した場合（Ｓ３４：ＮＯ）、処理をステップＳ４０へ進める。
【００９４】
ＣＰＵ８４１はマーク７２ａを検出したと判定した場合（Ｓ３４：ＹＥＳ）、マーク７２ｂの黄色の高濃度側の値に基づいて設定された閾値に従って２値化する第２処理を行う（Ｓ３５）。
ＣＰＵ８４１は、第２処理により得られた２値化画像データを前記画素領域分、ＲＡＭ８４３に記憶させ、テンプレートマッチングによりマーク７２ｂを検出したか否かを判定する（Ｓ３６）。ＣＰＵ８４１は、マーク７２ｂを検出しないと判定した場合（Ｓ３６：ＮＯ）、処理をステップＳ４０へ進める。
【００９５】
ＣＰＵ８４１は、ステップＳ３４において検出されたマーク７２ａのテンプレートマッチングポイントに対応する画素の値を１とする位置データと、ステップＳ３６においてマーク７２ｂを検出したと判定した場合（Ｓ３６：ＹＥＳ）に、検出したマーク７２ｂのテンプレートマッチングポイントに対応する画素値を１とする位置データとを加算する（Ｓ３７）。ここで、ＣＰＵ８４１は上述したにじみ補正を行い、特定の画素領域においてマークが検出されても位置データを求めないことにしてもよい。
【００９６】
そして、ＣＰＵ８４１は、位置データのテンプレートマッチングにより、４個のマーク７２ｂ及び１個のマーク７２ａの配置の直線度を求めて、検出した複写禁止パターン７２が基準複写禁止パターン７２と一致するか否かを判定する（Ｓ３８）。検出した複写禁止パターン７２が基準複写禁止パターン７２と一致しないと判定した場合（Ｓ３８：ＮＯ）、処理をステップＳ４０へ進める。
【００９７】
ＣＰＵ８４１は、検出した複写禁止パターン７２が基準複写禁止パターン７２と一致すると判定した場合（Ｓ３８：ＹＥＳ）、複写禁止パターン７２の検出数ｎをインクリメントする（Ｓ３９）。
そして、ＣＰＵ８４１は、１ページ分の検出が終了したか否かを判定する（Ｓ４０）。１ページ分の検出が終了していないと判定した場合（Ｓ４０：ＮＯ）、処理をステップＳ３３へ戻す。
ＣＰＵ８４１は、１ページ分の検出が終了したと判定した場合（Ｓ４０：ＹＥＳ）、前記類似度を算出する（Ｓ４１）。
以後、ＣＰＵ８４１は、実施の形態１に係る画像処理プログラムのステップＳ１１以降の処理を行う。
【００９８】
本実施の形態においては、下地模様がなく、薄い黄色を有するマーク７２ａが第１処理により２値化された上で検出され、下地模様等を有し、濃い黄色を有するマーク７２ｂが第２処理により２値化された上で検出される。
すなわち、複写禁止パターン７２の同一形状及び同一色を有するマーク７２ａ、７２ｂの、夫々の色の濃度の違いに基づいて各別に２値化処理を行ってマークを検出するので、マーク７２ａ、７２ｂが混在する複写禁止パターン７２を画像データから確実に検出することができる。
本実施の形態の場合、１つのＣＰＵ８４１により第１（２値化）処理と第２処理とを行い、実施の形態１のハードウエアで実現する場合のように並行処理を行うことはできないので、実施の形態１のデジタル複合機８０の方がより高速に処理することが可能である。
【００９９】
なお、本実施の形態においては、ＰＣＵ８４のＲＯＭ８４２に画像処理部８１を実現するためのプログラムを含む画像処理プログラムが格納されている場合につき説明しているがこれに限定されるものではない。デジタル複合機が画像処理部８１を備えており、画像処理部８１が画像処理部８１の各機能を実現するプログラムの命令を実行するＣＰＵ、前記プログラムを格納するＲＯＭ、前記プログラムを展開するＲＡＭ、及び各種のデータを記憶するメモリを備えることにしてもよい。
そして、ＣＰＵにより２値化処理を２回行うことには限定されず、３回以上行うことにしてもよい。
【０１００】
また、本発明の画像処理方法は、実施の形態１及び２において説明したようにＣＰＵ８４１がＲＯＭ８４２に記憶された画像処理プログラムに従って実行することにより実現される場合には限定されない。実施の形態１及び２においては、ＲＯＭ８４２が本発明の記録媒体に相当する。
本発明の記録媒体は、画像処理を行うプログラムコード（実行形式プログラム、中間コードプログラム、ソースプログラム）を記録した、持ち運び自在の記録媒体であってもよい。この場合、デジタル複合機８０がプログラム読み取り装置を備え、デジタル複合機８０にプログラム読み取り装置が接続されており、プログラム読み取り装置に前記記録媒体が挿入されてプログラムが読み取られる。
記録媒体としては、磁気テープ及びカセットテープ等のテープ系記録媒体、フレキシブルディスク及びハードディスク等の磁気ディスク、並びにＣＤ−ＲＯＭ／ＭＯ／ＭＤ／ＤＶＤ等の光ディスク等のディスク系記録媒体、ＩＣカード（メモリカードを含む）／光カード等のカード系記録媒体、又はマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等の半導体メモリ系記録媒体等の固定的にプログラムコードを担持する記録媒体が挙げられる。
【０１０１】
また、ＰＣＵ８４を通信ネットワークと接続可能に構成し、前記プログラムコードを通信ネットワークを介して供給することにしてもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が挙げられる。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でもよく、ＩｒＤＡ及びリモコンのような赤外線、Ｂｌｕｅｔｏｏｔｈ（登録商標）、８０２．１１無線、ＨＤＲ、携帯電話網、衛星回線、地上波デジタル網等の無線も挙げられる。なお、本発明は、前記プログラムコードが電子的な伝送で具現化された、搬送波に埋め込まれたコンピュータデータ信号の形態でも実現され得る。
【０１０２】
さらに、前記実施の形態１及び２においては、複写禁止パターン７２が同一色を有し、色の濃度が異なるマーク７２ａ，７２ｂを有する場合につき説明しているがこれに限定されるものではなく、濃度が異なる３以上のマークを有し、各マークに対応させて２値化処理することにしてもよい。また、同一色を有し、色の濃度が異なるマークを複数種備え、各マークに対応させて２値化処理することにしてもよい。
そして、特定パターンが複写禁止パターンである場合につき説明しているがこれに限定されるものではなく、原稿に含まれる情報の漏洩を防止する漏洩防止パターンであってもよい。この場合、画像処理部８１により原稿に漏洩防止パターンが含まれると判定したときに、ＣＰＵ８４１は、該原稿の印刷を中止したり、予め設定された通知先に漏洩防止原稿が読み取られたことを通知したりすることができる。
【０１０３】
また、前記実施の形態１及び２においては、画像読取部８２で原稿を読み取った画像データに複写禁止パターン７２が含まれているか否かを検出する場合につき説明したが、これに限定されるものではなく、例えば、ネットワーク９０を介してデジタルカメラ９１、ＰＣ９２、及びノートＰＣ９３から取得した画像データに複写禁止パターン７２が含まれているか否かを検出するようにしてもよい。
【０１０４】
本発明は上述した実施の形態１及び２の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【符号の説明】
【０１０５】
１  第１処理部
２  第２処理部
３  マーク検出部
４  加算部
５  判定部
６、９  色差分演算部
７、１０  比較部
８、１１、３４  設定レジスタ
１２、１５、１９、２０、３３、８５２  メモリ
１３、１６  形状識別部
１４  第１マーク検出部
１７  第２マーク検出部
１８  にじみ補正部
２１  ベクトル演算部
２２  類似度算出部
２３  解像度変換部
３１  主走査方向解像度変換部
３２  副走査方向解像度変換部
５１、５１ａ、５１ｂ、５１ｃ、５１ｄ、５１ｅ、６０  テンプレート
５２  ＮＯＲ回路
５３、５５、５７、５９  カウンタ
５４、５６、５８、７０  比較器
６１、６２、６３、６４  リング
６５  位置パターン
６５ａ  マーク
７１、７２  複写禁止パターン
７１ａ、７２ａ、７２ｂ  マーク
７３  第１マーク
７４  第２マーク
７５  第３マーク
７６  第４マーク
７７  第５マーク
７８  原稿
８０  デジタル複合機
８０ａ  本体
８０ｂ  自動原稿処理部
８１  画像処理部
８２  画像読取部
８２ａ  原稿載置台
８３  操作部
８４  ＰＣＵ
８４１  ＣＰＵ
８４２  ＲＯＭ
８４３  ＲＡＭ
８４４  入出力Ｉ／Ｆ
８５  ＩＣＵ
８５１  ＨＤＤ
８６  印刷部
９０  ネットワーク
９１  デジタルカメラ
９２  ＰＣ
９３  ノートＰＣ
１００  画像形成システム
【図１】
2011061455.tif 000003
【図２】
2011061455.tif 000004
【図３】
2011061455.tif 000005
【図４】
2011061455.tif 000006
【図５】
2011061455.tif 000007
【図６】
2011061455.tif 000008
【図７】
2011061455.tif 000009
【図８】
2011061455.tif 000010
【図９】
2011061455.tif 000011
【図１０】
2011061455.tif 000012
【図１１】
2011061455.tif 000013
【図１２】
2011061455.tif 000014
【図１３】
2011061455.tif 000015
【図１４】
2011061455.tif 000016
【図１５】
2011061455.tif 000017
【図１６】
2011061455.tif 000018
【図１７】
2011061455.tif 000019
【図１８】
2011061455.tif 000020
【図１９】
2011061455.tif 000021
【図２０】
2011061455.tif 000022
【図２１】
2011061455.tif 000023
【図２２】
2011061455.tif 000024
【図２３】
2011061455.tif 000025